(57)【要約】【課題】  ペルチェ素子により冷却する保冷室を備えた洗面化粧台において、ペルチェ素子を利用して鏡の結露を防止する事を目的とするものである。【解決手段】  鏡を開閉自在に枢支し、この鏡の背面にペルチェ素子により冷却される保冷室を配置した洗面化粧台において、鏡の背面に前面を開口した保冷ケースを配置し、この開口に対向位置して鏡の背面に熱伝導率の高い材料から成る放熱板を密着固定し、この放熱板にペルチェ素子の放熱面を当接固定し、かつペルチェ素子の吸熱面に熱伝導率の高い材料から成る冷却板を固定して成る。【選択図】        図２
2006247079.tif 000002
【特許請求の範囲】
【請求項１】
鏡を開閉自在に枢支し、この鏡の背面にペルチェ素子により冷却される保冷室を配置した洗面化粧台において、上記鏡の背面に熱伝導率の高い材料から成る放熱板を密着固定すると共に、この放熱板の背面に前面を開口した保冷ケースを配置し、この開口に対向位置して上記放熱板に熱伝導率の高い材料から成る伝熱板を密着固定し、この伝熱板に上記ペルチェ素子の放熱面を密着固定し、かつ上記ペルチェ素子の吸熱面に熱伝導率の高い材料から成る冷却板を固定した事を特徴とする洗面化粧台。
【請求項２】
鏡を開閉自在に枢支し、この鏡の背面にペルチェ素子により冷却される保冷室を配置した洗面化粧台において、上記鏡の背面に前面を開口した保冷ケースを配置すると共に、この開口に対向位置して上記鏡の背面にペルチェ素子の放熱面を密着固定し、かつこのペルチェ素子の吸熱面に熱伝導率の高い材料から成る冷却板を固定した事を特徴とする洗面化粧台。
【請求項３】
上記ペルチェ素子を、上記保冷ケースの中間高さ位置よりも高い位置に配置した事を特徴とする、上記請求項１又は２に記載の洗面化粧台。
【発明の詳細な説明】
【技術分野】
【０００１】
本発明は、ペルチェ素子により冷却する保冷室を備えた洗面化粧台に関する。
【背景技術】
【０００２】
ペルチェ素子により冷却する保冷室を備えた洗面化粧台では、例えば特許文献１に示される様に、床面に設置されるフロアキャビネット１の上方に、前面パネル５を介してミラーキャビネット６を配置し、このミラーキャビネットの鏡２１の裏面に保冷室Ｃを形成したものがある。
【特許文献１】特開２００２−２６３０１５号公報
【発明の開示】
【発明が解決しようとする課題】
【０００３】
一方、上記特許文献１に示される洗面化粧台では、放熱室Ｈの上に保冷室Ｃを設け、これら放熱室と保冷室の間に熱源となるペルチェ素子を配置し、冷却ファン１５と放熱ファン１７，１８により冷気と温風を各々循環させている為、折角音を出さないペルチェ素子を使用していながら、ファンにより騒音を発生するという問題がある。
【０００４】
又、放熱用の温風により水栓金具や前面パネルの結露は防止されるものの、前扉６ｄ，６ｅ，６ｆの鏡は曇り易いという問題がある。
【０００５】
そこで本発明は、ペルチェ素子の放熱を有効的に利用して、鏡の結露を防止する事を目的とするものである。
【課題を解決するための手段】
【０００６】
本発明の請求項１の構成は、鏡を開閉自在に枢支し、この鏡の背面にペルチェ素子により冷却される保冷室を配置した洗面化粧台において、鏡の背面に熱伝導率の高い材料から成る放熱板を密着固定すると共に、この放熱板の背面に前面を開口した保冷ケースを配置し、この開口に対向位置して放熱板に熱伝導率の高い材料から成る伝熱板を密着固定し、この伝熱板にペルチェ素子の放熱面を密着固定し、かつペルチェ素子の吸熱面に熱伝導率の高い材料から成る冷却板を固定したものである。
【０００７】
本発明の請求項２の構成は、鏡を開閉自在に枢支し、この鏡の背面にペルチェ素子により冷却される保冷室を配置した洗面化粧台において、鏡の背面に前面を開口した保冷ケースを配置すると共に、この開口に対向位置して鏡の背面にペルチェ素子の放熱面を密着固定し、かつこのペルチェ素子の吸熱面に熱伝導率の高い材料から成る冷却板を固定したものである。
【０００８】
本発明の請求項３の構成は、請求項１又は２の構成において、ペルチェ素子を保冷ケースの中間高さ位置よりも高い位置に配置して成るものである。
【発明の効果】
【０００９】
本発明の請求項１に記載の構成により、ペルチェ素子の吸熱面にて冷却板を介して保冷ケース内を効率的に冷却すると共に、ペルチェ素子の放熱面で発生する熱を放熱板を介して鏡に伝熱することで、鏡を利用して効率的に放熱すると同時に鏡の表面の結露を防止する事が出来るものである。
【００１０】
本発明の請求項２に記載の構成により、ペルチェ素子を保冷ケース内の比較的高い位置に配置することで、ペルチェ素子の放熱面から発生する冷気を、保冷ケース内で効率的に自然対流させ、保冷ケース内の温度むらを防止する事が出来るものである。
【００１１】
本発明の請求項３に記載の構成により、鏡の背面に直接ペルチェ素子の放熱面を密着固定したことで、鏡を利用して、比較的簡単な構成にてペルチェ素子の放熱面を冷却すると同時に、鏡の結露を防止する事が出来るものである。
【発明を実施するための最良の形態】
【００１２】
本発明の実施例を先ず図１に基づき説明すると、１は洗面化粧台本体で、洗面所等の床面に設置される化粧台２と、この化粧台の上面後端部の上に設置される鏡ケース３とで構成している。
【００１３】
上記化粧台２は、前面に扉４や複数の引出し５，５を開閉或いは出し入れ自在に装着していると共に、天面に洗面器６を一体的に装着している。
【００１４】
上記鏡ケース３は、前面に左右方向に３分割した鏡７，８，９を開閉自在に枢支し、かつこれら鏡の内部に図示しない複数の収納棚を配置している。
【００１５】
一方、上記鏡９の内部には、その最下部に保冷室１０を収納配置していると共に、この保冷室の上方に複数の棚１１，１１で区画した収納室１２，１２を形成している。
【００１６】
又、上記保冷室１０は、図２にても示す様に、前面を開口１３し、かつ樹脂や金属板にて形成した保冷ケース１４の外周囲を発泡ウレタン等の断熱材１５で包囲して構成していると共に、上記開口１３内に対向位置して鏡９の裏面にアルミニウム等の熱伝導率の高い材料で形成した放熱板１６を密着固定している。
【００１７】
更に、上記放熱板１６には、開口１３内に対向位置して熱伝導率の高い材料で形成した伝熱板１７を密着固定し、かつこの伝熱板にペルチェ素子１８の放熱面１８ａを密着固定していると共に、このペルチェ素子の吸熱面１８ｂには、上記放熱板１６や伝熱板と同様に熱伝導率の高い材料にて形成した冷却板１９を密着固定している。
【００１８】
又、上記ペルチェ素子１８は、保冷ケース１４内の中間高さ位置よりも高い位置に固定しており、これにより、ペルチェ素子１８への通電によりその冷却面１８ｂにて冷却板１９が冷却され、その表面から発生する冷気が自然対流により降下し、保冷ケース１４内を効率的に冷却する事が出来るものである。
【００１９】
尚、上記伝熱板１７と冷却板１９との間隙には断熱材２０を充填し、相互間の伝熱を極力防止している。
【００２０】
又、上記実施例ではペルチェ素子１８の放熱面１８ａを伝熱板１７を介して放熱板１６に固定しているが、ペルチェ素子１８の放熱面１８ａを直接放熱板１６に密着固定しても良い。
【００２１】
一方、ペルチェ素子１８への通電により放熱面１８ａからの発熱により伝熱板１７を介して放熱板１６が温度上昇するが、この熱は放熱板１６自身や鏡９の表面より放熱し、鏡表面の結露を防止すると同時に、表面積の大きな放熱板１６や鏡９を利用して放熱する為、冷却板１８にて保冷ケース１４内を効率的に冷却する事が出来るものである。
【００２２】
更にこれらの構成により、ペルチェ素子１８の放熱面１８ａの放熱に送風ファンを用いない為、送風ファンによる騒音を発生しないと共に、送風ファンの送風路を確保する必要がなく、構成を簡素化出来るものである。
【００２３】
図３は本発明の他の実施例を示すもので、上記実施例と共通する部分は同一符号を用いて説明すると、鏡９裏面の保冷ケース１４の開口１３に対向位置にて、熱伝導率の高い材料にて形成した放熱板１６を密着固定すると共に、この放熱板の背面にペルチェ素子１８の放熱面１８ａを密着固定し、かつペルチェ素子１８の吸熱面１８ｂには、上記放熱板１６と同様に熱伝導率の高い材料にて形成した冷却板１９を密着固定している。
【００２４】
これらの構成により、鏡９の裏面に直接放熱板１６を密着固定したことで、冷却ファンや冷却ファンの通風路を用いることなく、比較的簡単な構成にてペルチェ素子の放熱を行うと同時に、鏡の結露を防止する事が出来るものである。
【００２５】
又、上記放熱板１６と冷却板１９の間隙には断熱材２０を充填している。
【００２６】
尚、上記鏡９は、一般的にはガラスを使用しているが、アルミニウムやステンレス、銅或いはこれらの積層材等の熱伝導率の高い材料を使用することで、放熱板１６からの放熱効率を向上する事が出来る。
【００２７】
上記鏡９に金属板等の熱伝導率の高い材料を用いた場合には、鏡９の裏面に直接ペルチェ素子１８の放熱面１８ａを密着固定しても良い。
【図面の簡単な説明】
【００２８】
【図１】本発明の実施例を示す斜視図である。
【図２】同じく要部の側面縦断面図である。
【図３】本発明の他の実施例を示す要部の側面縦断面図である。
【符号の説明】
【００２９】
９      鏡
１０    保冷室
１４    保冷ケース
１６    放熱板
１７    伝熱板
１８    ペルチェ素子
１８ａ  放熱面
１８ｂ  吸熱面
１９    冷却板
【図１】
2006247079.tif 000003
【図２】
2006247079.tif 000004
【図３】
2006247079.tif 000005